(57)【要約】【課題】長さの異なる本身用紙が混在する本身を表紙用紙でくるんでくるみ製本を行う場合にも、ユーザのニーズに合わせた製本形態で製本することを可能にする。【解決手段】最長長さの本身用紙に基づいて表紙用紙の長さを決定することが選択された場合には、最長長さの本身用紙の長さ、本身用紙の束の厚み、及び表紙用紙の長さに基づいて表紙用紙の断裁量を算出し、最短長さの本身用紙に基づいて表紙用紙の長さを決定することが選択された場合には、最短長さの本身用紙の長さ、本身用紙の束の厚み、及び表紙用紙の長さに基づいて表紙用紙の断裁量を算出する。【選択図】図４
2008037039.tif 000002
【特許請求の範囲】
【請求項１】
本身用紙に画像形成を行う画像形成装置と、画像形成装置により画像形成された本身用紙の束を表紙用紙でコの字状にくるんで製本を行う製本装置と、を有する画像形成システムにおいて、
本身用紙の束のうち最長長さの本身用紙の長さ及び最短長さの本身用紙の長さを検出する本身用紙長さ検出部と、
本身用紙の束の厚みを検出する本身厚み検出部と、
表紙用紙の長さを検出する表紙用紙長さ検出部と、
本身用紙の束のうち最長長さの本身用紙に基づいて表紙用紙の長さを決定するか、あるいは最短長さの本身用紙に基づいて表紙用紙の長さを決定するか、を選択する選択部と、
選択部により最長長さの本身用紙に基づいて表紙用紙の長さを決定することが選択された場合には、本身用紙長さ検出部により検出された最長長さの本身用紙の長さ、本身厚み検出部により検出された本身用紙の束の厚み、及び表紙用紙長さ検出部により検出された表紙用紙の長さに基づいて表紙用紙の断裁量を算出し、選択部により最短長さの本身用紙に基づいて表紙用紙の長さを決定することが選択された場合には、本身用紙長さ検出部により検出された最短長さの本身用紙の長さ、本身厚み検出部により検出された本身用紙の束の厚み、及び表紙用紙長さ検出部により検出された表紙用紙の長さに基づいて表紙用紙の断裁量を算出する表紙断裁量算出部と、
表紙用紙断裁量算出部により算出された表紙用紙の断裁量に基づいて表紙用紙を断裁する表紙断裁部と、
表紙断裁部により断裁された表紙用紙で本身用紙の束をコの字状にくるんで製本を行う製本部と、
を有することを特徴とする画像形成システム。
【請求項２】
前記本身用紙長さ検出部は、前記製本装置の本身用紙が通過する搬送路に設けられた用紙長センサの出力に基づいて、本身用紙の束のうち最長長さの本身用紙の長さ及び最短長さの本身用紙の長さを検出することを特徴とする請求項１に記載の画像形成システム。
【請求項３】
前記画像形成装置により画像形成された本身用紙に対して折りを施し、折りを施した本身用紙を前記製本装置に供給する折り装置を有することを特徴とする請求項２に記載の画像形成システム。
【請求項４】
本身用紙を収容可能な給紙部と、
給紙部に収容される本身用紙の長さを予め記憶する記憶部と、
を有し、
前記本身用紙長さ検出部は、記憶部に記憶されている本身用紙の長さに基づいて、本身用紙の束のうち最長長さの本身用紙の長さ及び最短長さの本身用紙の長さを検出することを特徴とする請求項１に記載の画像形成システム。
【請求項５】
本身用紙の束のうち最長長さの本身用紙の長さ及び最短長さの本身用紙の長さが入力される本身用紙長さ入力ステップと、
本身用紙の束の厚みが入力される本身厚み入力ステップと、
表紙用紙の長さが入力される表紙用紙長さ入力ステップと、
本身用紙の束のうち最長長さの本身用紙に基づいて表紙用紙の長さを決定するか、あるいは最短長さの本身用紙に基づいて表紙用紙の長さを決定するか、の選択情報が入力される選択情報入力ステップと、
選択情報入力ステップにより最長長さの本身用紙に基づいて表紙用紙の長さを決定する選択情報が入力された場合には、本身用紙長さ入力ステップにより入力された最長長さの本身用紙の長さ、本身厚み入力ステップにより入力された本身用紙の束の厚み、及び表紙用紙長さ入力ステップにより入力された表紙用紙の長さに基づいて表紙用紙の断裁量を算出し、選択情報入力ステップにより最短長さの本身用紙に基づいて表紙用紙の長さを決定する選択情報が入力された場合には、本身用紙長さ入力ステップにより入力された最短長さの本身用紙の長さ、本身厚み入力ステップにより入力された本身用紙の束の厚み、及び表紙用紙長さ入力ステップにより入力された表紙用紙の長さに基づいて表紙用紙の断裁量を算出する表紙断裁量算出ステップと、
をコンピュータに実行させることを特徴とするプログラム。
【発明の詳細な説明】
【技術分野】
【０００１】
本発明は、画像形成システム及びプログラムに関する。
【背景技術】
【０００２】
画像形成装置と製本装置とから構成される画像形成システムが知られており、例えば、特許文献１には、冊子の中身となる本身用紙の束（単に、本身ということもある）を１枚の表紙用紙でコの字状にくるみ、本身用紙の束の背部を表紙用紙に糊付けすることにより冊子を作製する所謂くるみ製本を行う画像形成システムが記載されている。
【特許文献１】特開２００４−２０９８７０号公報
【発明の開示】
【発明が解決しようとする課題】
【０００３】
特許文献１では、くるみ製本を行う際、本身を構成する各本身用紙としては全て長さの同じものしか想定されておらず、表紙用紙の長さは、（本身用紙の長さ×２＋本身の厚み）となるように断裁される。ここで、「長さ」方向は、表紙用紙で本身用紙をくるむ方向に沿う方向である（以下、「長さ」といえば、特に言及しない限り、当該方向の長さを指す）。
【０００４】
しかしながら、複数の長さの異なる本身用紙が混在した本身を表紙用紙でくるんでくるみ製本を行う場合、例えば、他の本身用紙に他の本身用紙よりも長さの長いタブ紙が挿入された本身を表紙用紙でくるんで製本を行う場合、等も考えられる。
【０００５】
本発明は、このような課題に鑑みてなされたものであり、長さの異なる本身用紙が混在する本身を表紙用紙でくるんでくるみ製本を行う場合にも、ユーザのニーズに合わせた製本形態で製本することが可能な画像形成システム及びプログラムを提供することを目的としている。
【課題を解決するための手段】
【０００６】
本発明の画像形成システムは、本身用紙に画像形成を行う画像形成装置と、画像形成装置により画像形成された本身用紙の束を表紙用紙でコの字状にくるんで製本を行う製本装置と、を有する画像形成システムにおいて、本身用紙の束のうち最長長さの本身用紙の長さ及び最短長さの本身用紙の長さを検出する本身用紙長さ検出部と、本身用紙の束の厚みを検出する本身厚み検出部と、表紙用紙の長さを検出する表紙用紙長さ検出部と、本身用紙の束のうち最長長さの本身用紙に基づいて表紙用紙の長さを決定するか、あるいは最短長さの本身用紙に基づいて表紙用紙の長さを決定するか、を選択する選択部と、選択部により最長長さの本身用紙に基づいて表紙用紙の長さを決定することが選択された場合には、本身用紙長さ検出部により検出された最長長さの本身用紙の長さ、本身厚み検出部により検出された本身用紙の束の厚み、及び表紙用紙長さ検出部により検出された表紙用紙の長さに基づいて表紙用紙の断裁量を算出し、選択部により最短長さの本身用紙に基づいて表紙用紙の長さを決定することが選択された場合には、本身用紙長さ検出部により検出された最短長さの本身用紙の長さ、本身厚み検出部により検出された本身用紙の束の厚み、及び表紙用紙長さ検出部により検出された表紙用紙の長さに基づいて表紙用紙の断裁量を算出する表紙断裁量算出部と、表紙用紙断裁量算出部により算出された表紙用紙の断裁量に基づいて表紙用紙を断裁する表紙断裁部と、表紙断裁部により断裁された表紙用紙で本身用紙の束をコの字状にくるんで製本を行う製本部と、を有することを特徴としている。
【０００７】
本発明のプログラムは、本身用紙の束のうち最長長さの本身用紙の長さ及び最短長さの本身用紙の長さが入力される本身用紙長さ入力ステップと、本身用紙の束の厚みが入力される本身厚み入力ステップと、表紙用紙の長さが入力される表紙用紙長さ入力ステップと、本身用紙の束のうち最長長さの本身用紙に基づいて表紙用紙の長さを決定するか、あるいは最短長さの本身用紙に基づいて表紙用紙の長さを決定するか、の選択情報が入力される選択情報入力ステップと、選択情報入力ステップにより最長長さの本身用紙に基づいて表紙用紙の長さを決定する選択情報が入力された場合には、本身用紙長さ入力ステップにより入力された最長長さの本身用紙の長さ、本身厚み入力ステップにより入力された本身用紙の束の厚み、及び表紙用紙長さ入力ステップにより入力された表紙用紙の長さに基づいて表紙用紙の断裁量を算出し、選択情報入力ステップにより最短長さの本身用紙に基づいて表紙用紙の長さを決定する選択情報が入力された場合には、本身用紙長さ入力ステップにより入力された最短長さの本身用紙の長さ、本身厚み入力ステップにより入力された本身用紙の束の厚み、及び表紙用紙長さ入力ステップにより入力された表紙用紙の長さに基づいて表紙用紙の断裁量を算出する表紙断裁量算出ステップと、をコンピュータに実行させることを特徴としている。
【発明の効果】
【０００８】
本発明によれば、長さの異なる本身用紙が混在する本身を表紙用紙でくるんでくるみ製本を行う場合に、表紙用紙Ｓ２の表表紙及び裏表紙の長さを最長長さの本身用紙の長さに合わせるか又は最短長さの本身用紙の長さに合わせるかの選択が可能であるので、ユーザのニーズに合わせた製本形態で製本することができる。
【発明を実施するための最良の形態】
【０００９】
（システム構成）
図１は、本実施形態に係る画像形成システムのシステム構成図である。画像形成システムは、画像形成装置１００及び製本装置２００から構成されている。
【００１０】
＜画像形成装置＞
画像形成装置１００は、電子写真方式により用紙に画像を形成するものであり、画像形成部１１０、原稿搬送部１２０、画像読取部１３０、給紙部１４０、定着部１５０、等を有している。
【００１１】
原稿搬送部１２０は、載置された原稿を画像読取部１３０に向けて搬送する。
【００１２】
画像読取部１３０は、原稿搬送部１２０により搬送されている原稿の画像を読み取り画像データを出力する。
【００１３】
画像形成部１１０は、感光体１１１の周囲に、帯電装置１１２、露光装置１１３、現像装置１１４、転写装置１１５、分離装置１１６及びクリーニング装置１１７が配置された構成となっており、帯電、露光、現像、転写及びクリーニングの各プロセスが実行される。画像読取部１３０から出力された画像データに基づいた露光が行われ、当該画像データに基づいたトナー画像が用紙に形成される。
【００１４】
給紙部１４０は、複数の給紙カセット１４１，１４２，１４３を有しており、指定された用紙を画像形成部１１０に向けて搬送する。例えば、図１に示すように、冊子の中身となる本身用紙Ｓ１としての普通紙Ｓ１Ｃ及び普通紙Ｓ１Ｃよりも長さの長いタブ紙Ｓ１Ｔが、それぞれ給紙カセット１４１及び給紙カセット１４２に収容され、表紙用紙Ｓ２が、給紙カセット１４３に収容される。
【００１５】
定着部１５０は、画像形成部１１０から搬送されてくるトナー画像が形成された用紙を加熱及び加圧し、用紙にトナー画像を定着させる。
【００１６】
＜製本装置＞
製本装置２００は、画像形成装置１００から搬送されてくる本身用紙Ｓ１を複数枚束ねて本身とし、本身の背部に表紙用紙Ｓ２を糊付けし、表紙用紙Ｓ２により本身をコの字状にくるんで冊子を作製する。
【００１７】
製本装置２００は、搬送部２１０、サブトレイ２２０、サブコンパイル部２３０、クランプ部２４０、糊塗布部２５０、角背形成部２６０、表紙給紙部２７０、表紙断裁部２７５、冊子収容部２８０、等を有している。
【００１８】
サブトレイ２２０は、くるみ製本を行わない場合に用紙が排出される。用紙が排出路２１２に向かうように切り替えゲート２１１を切り替えることにより、搬送部２１０を搬送されてきた用紙がサブトレイ２２０に排出される。
【００１９】
サブコンパイル部２３０は、くるみ製本を行う場合に本身用紙Ｓ１が順次搬送されてくる。用紙が排出路２１３に向かうように切り替えゲート２１１を切り替えることにより、搬送部２１０を搬送されてきた本身用紙Ｓ１がサブコンパイル部２３０に搬送される。先行する本身用紙Ｓ１の束がクランプ部２４０で製本中で、後続の本身用紙Ｓ１をクランプ部２４０に搬送することができない場合に、後続の本身用紙Ｓ１を一時的に集積させる。先行する本身用紙Ｓ１の束がクランプ部２４０に存在しない場合には、サブコンパイル部２３０に搬送されてきた本身用紙Ｓ１は、サブコンパイル部２３０でスイッチバックした後そのままクランプ部２４０に搬送される。
【００２０】
クランプ部２４０は、サブコンパイル部２３０を経由して搬送されてきた冊子単位の本身用紙Ｓ１の束を集積しクランプする。このクランプ部２４０に集積された本身用紙Ｓ１の束が冊子の本身となる。クランプ部２４０は、集積される本身用紙Ｓ１に対して、下面を支持する支持板２４１、先端を規制する先端規制板２４２、側端を整合する整合板２４３、本身の上面を押しつけ固定するクランプ２４４、等を有している。クランプ部２４０は、本身をクランプした後、本身の背部が鉛直下向きになるように回動する。
【００２１】
糊塗布部２５０は、クランプ部２４０によりクランプされた本身の背部に糊塗布を行う。
【００２２】
表紙給紙部２７０は、表紙用紙Ｓ２を収容する給紙カセット２７１を有しており、表紙用紙Ｓ２を表紙断裁部２７５に向けて搬送する。
【００２３】
表紙断裁部２７５は、給紙カセット２７１又は画像形成装置１００の給紙カセット１４３から搬送されてきた表紙用紙Ｓ２を所定の長さに断裁する。表紙用紙Ｓ２に画像形成を行う場合には、画像形成装置１００の給紙カセット１４３から表紙用紙Ｓ２を搬送する。
【００２４】
角背形成部２６０は、表紙断裁部２７５から搬送されてきた断裁後の表紙用紙Ｓ２が所定位置に停止した後、上昇する。これにより、角背形成部２６０の上に載置された表紙用紙Ｓ２は、クランプ部２４０にクランプされている背部に糊塗布がされた本身と接触し糊付けされる。また、その際に表紙用紙Ｓ２は、本身の形状に沿って折り曲げられ角背が形成される。これにより、表紙用紙Ｓ２により本身がくるまれ、冊子が作製される。その後、角背形成部２６０は、下降した後、糊付けされ角背の形成された冊子を冊子収容部２８０に排出する。
【００２５】
（制御構成）
図２は、本実施形態に係る画像形成システムの制御構成図である。本発明にあまり関係しない制御対象については省略している。
【００２６】
＜画像形成装置＞
画像形成装置１００は、プログラムに従って画像形成装置１００の各種制御を実行するＣＰＵ１６０を中心に、バス１６１により、ＲＯＭ１６２、ＲＡＭ１６３、ＨＤＤ１６４、ＥＥＰＲＯＭ１６５、画像形成部１１０、画像読取部１３０、給紙部１４０、操作表示部１６６、通信部１６７、通信部１６８、等が相互に接続されている。
【００２７】
ＲＯＭ１６２は、各種プログラムやデータを記憶しており、ＣＰＵ１６０がこれらプログラムやデータを利用して画像形成装置１００の制御を実行する。
【００２８】
ＲＡＭ１６３は、ＣＰＵ１６０によってワークエリアとして利用され、ＣＰＵ１６０が制御を実行する際に必要なプログラムやデータを一時的に記憶する。
【００２９】
ＨＤＤ１６４は、画像読取部１３０から入力された画像データ又は通信部１６８を介してパーソナルコンピュータ等の外部機器から入力された画像データ、等を記憶する。
【００３０】
ＥＥＰＲＯＭ１６５は、給紙部１４０及び表紙給紙部２７０の各給紙カセットに収容されている各用紙のサイズ、等を記憶する。
【００３１】
画像形成部１１０は、画像読取部１３０から入力された画像データ又は通信部１６８を介してパーソナルコンピュータ等の外部機器から入力された画像データに基づいて用紙上に画像形成を行う。
【００３２】
操作表示部１６６は、タッチパネル等で構成され、各種操作画面を表示したり、各種指示を入力したりする。
【００３３】
通信部１６７は、製本装置２００に接続され、製本装置２００との間で各種データを送受信する。
【００３４】
通信部１６８は、外部のネットワークに接続され、パーソナルコンピュータ等から入力画像データ等を受信する。
【００３５】
画像読取部１３０及び給紙部１４０については、前述したので説明は省略する。
【００３６】
＜製本装置＞
製本装置２００は、プログラムに従って製本装置２００の各種制御を実行するＣＰＵ２９０を中心に、バス２９１により、ＲＯＭ２９２、ＲＡＭ２９３、用紙長センサ２９４、クランプ部２４０、糊塗布部２５０、角背形成部２６０、表紙給紙部２７０、表紙断裁部２７５、通信部２９５、等が相互に接続されている。
【００３７】
ＲＯＭ２９２は、各種プログラムやデータを記憶しており、ＣＰＵ２９０がこれらプログラムやデータを利用して製本装置２００の制御を実行する。
【００３８】
ＲＡＭ２９３は、ＣＰＵ２９０によってワークエリアとして利用され、ＣＰＵ２９０が制御を実行する際に必要なプログラムやデータを一時的に記憶する。
【００３９】
用紙長センサ２９４は、搬送部２１０に設けられ（図１参照）、搬送されている用紙の先端及び後端を検出する。これにより、搬送されている用紙の用紙長を算出することができる。
【００４０】
クランプ部２４０は、制御対象として、前述したクランプ２４４の他に厚みセンサ２４５を有している。厚みセンサ２４５は、クランプ部２４０にセットされている本身の厚みを検出する。例えば、本身をクランプした際のクランプ２４４の位置を検出することにより行う。本身が厚ければ、クランプ２４４の先端は支持板２４１から離れた位置になり、本身が薄ければ、クランプ２４４の先端は支持板２４１に近い位置になる。他にも、クランプ時におけるクランプ２４４のホームポジションからの移動量を求めることによっても検出することが可能である。
【００４１】
糊塗布部２５０、角背形成部２６０、表紙給紙部２７０、表紙断裁部２７５については、前述したので説明は省略する。
【００４２】
通信部２９５は、画像形成装置１００に接続され、画像形成装置１００との間で各種データを送受信する。
【００４３】
（制御の概要）
本制御は、複数の長さの異なる本身用紙が混在した本身を表紙用紙でくるんでくるみ製本を行う場合に、表紙用紙Ｓ２の表表紙及び裏表紙の長さを、本身を構成する本身用紙Ｓ１の中で、最長の本身用紙Ｓ１ｍａｘの長さに合わせるか又は最短の本身用紙Ｓ１ｍｉｎの長さに合わせるか、を選択できるように制御するものである。一般的に、冊子の表表紙及び裏表紙の長さは、最長の本身用紙の長さに合っている場合、又は最短の本身用紙の長さに合っている場合が殆どであるので、本制御ではどちらかの長さに合わせる制御を行う。
【００４４】
図３は、本実施形態に係る制御の概要を示す模式図である。図３（ａ）は、操作表示部１６６のイメージ図であり、くるみ製本モード選択時において、「表紙（本身最大長さ）」又は「表紙（本身最小長さ）」が選択可能となっている。「表紙（本身最大長さ）」が選択されると、表紙用紙Ｓ２の表表紙及び裏表紙の長さを、本身を構成する本身用紙の中で最長の本身用紙Ｓ１ｍａｘの長さに合わせる制御を行う（図３（ｂ））。「表紙（本身最小長さ）」が選択されると、表紙用紙Ｓ２の表表紙及び裏表紙の長さを、本身を構成する本身用紙の中で最短の本身用紙Ｓ１ｍｉｎの長さに合わせる制御を行う（図３（ｃ））。
【００４５】
図３（ｂ）に示すように、「表紙（本身最大長さ）」が選択された場合には、本身用紙Ｓ１の中で最長の本身用紙Ｓ１ｍａｘの長さＬｍａｘに、表紙用紙Ｓ２の表表紙及び裏表紙の長さが合うように表紙用紙Ｓ２は断裁される。断裁後の表紙用紙Ｓ２で本身をくるむと、図に示すように、表紙用紙Ｓ２の端部位置Ｅは、本身用紙Ｓ１の中で最長の本身用紙Ｓ１ｍａｘの端部位置に一致する。
【００４６】
図３（ｃ）に示すように、「表紙（本身最小長さ）」が選択された場合には、本身用紙Ｓ１の中で最短の本身用紙Ｓ１ｍｉｎの長さＬｍｉｎに、表紙用紙Ｓ２の表表紙及び裏表紙の長さが合うように表紙用紙Ｓ２は断裁される。断裁後の表紙用紙Ｓ２で本身をくるむと、図に示すように、表紙用紙Ｓ２の端部位置Ｅは、本身用紙Ｓ１の中で最短の本身用紙Ｓ１ｍｉｎの端部位置に一致する。
【００４７】
このように、本制御を行うことにより、長さの異なる本身用紙が混在する本身を表紙用紙でくるんでくるみ製本を行う場合に、表紙用紙Ｓ２の表表紙及び裏表紙の長さを最長の本身用紙Ｓ１ｍａｘの長さに合わせるか又は最短の本身用紙Ｓ１ｍｉｎの長さに合わせるかの選択が可能であるので、ユーザのニーズに合わせた製本形態で製本することができる。
【００４８】
（制御フロー）
図４は、本実施形態に係る表紙断裁量算出処理の制御フロー図である。一例であり、これに限定されない。表紙断裁量算出処理は、ＣＰＵ２９０を中心としてＲＯＭ２９２に記憶されているプログラムに基づいて実行される。なお、既に、画像形成装置１００の操作表示部１６６により、前述した「表紙（本身最大長さ）」又は「表紙（本身最小長さ）」の選択がなされ、当該選択情報は、ＲＡＭ１６３に記憶されているものとする。操作表示部１６６は、選択部として機能する。また、給紙カセット１４３又は給紙カセット２７１に収容されている表紙用紙Ｓ２の長さも、予め操作表示部１６６において入力され、ＥＥＰＲＯＭ１６５に記憶されているものとする。
【００４９】
まず、ＣＰＵ２９０は、用紙長センサ２９４により画像形成装置１００から搬送されてくる各本身用紙Ｓ１の長さを計測し、最長の本身用紙Ｓ１ｍａｘの長さＬｍａｘ及び最短の本身用紙Ｓ１ｍｉｎの長さＬｍｉｎを検出する。ＣＰＵ２９０及び用紙長センサ２９４は、本身用紙長さ検出部として機能する。検出されたＬｍａｘ及びＬｍｉｎは、ＲＡＭ２９３に記憶される（ステップＳ１）。
【００５０】
具体的には、各本身用紙Ｓ１の長さＬは、用紙長センサ２９４部における用紙の搬送速度Ｖに、各本身用紙Ｓ１の通過により用紙長センサ２９４がオンしている時間Ｔを乗じることによって求めることができる（Ｌ＝Ｖ×Ｔ）。
【００５１】
Ｌｍａｘ及びＬｍｉｎを検出するにあたっては、冊子の最初の本身用紙Ｓ１の長さを検出する前にＲＡＭ２９３内のＬｍａｘ及びＬｍｉｎの値をリセットしておき、その後冊子の最初から最終までの各本身用紙Ｓ１の長さＬを順次計測していく。その際、最大長さ及び最小長さが得られる度に、ＲＡＭ２９３のＬｍａｘ及びＬｍｉｎの値を更新する。
【００５２】
次に、ＣＰＵ２９０は、厚みセンサ２４５によりクランプ２４４の位置を検出し本身の厚みを算出する（ステップＳ２）。ＣＰＵ２９０及び厚みセンサ２４５は、本身厚み検出部として機能する。
【００５３】
次に、ＣＰＵ２９０は、表紙用紙Ｓ２の長さをＥＥＰＲＯＭ１６５から読み出す（ステップＳ３）。ＣＰＵ２９０及びＥＥＰＲＯＭ１６５は、表紙用紙長さ検出部として機能する。
【００５４】
次に、ＣＰＵ２９０は、ＲＡＭ１６３に記憶されている選択情報を確認し、「表紙（本身最大長さ）」が選択されているか否かを判断する（ステップＳ４）。
【００５５】
「表紙（本身最大長さ）」が選択されていると判断すると（ステップＳ４；Ｙｅｓ）、ＣＰＵ２９０は、ＲＡＭ２９３に記憶されているＬｍａｘを読み出し、本身用紙の長さとして設定する（ステップＳ５）。「表紙（本身最大長さ）」が選択されていないと判断すると（ステップＳ４；Ｎｏ）、つまり「表紙（本身最小長さ）」が選択されていると判断すると、ＣＰＵ２９０は、ＲＡＭ２９３に記憶されているＬｍｉｎを読み出し、本身用紙の長さとして設定する（ステップＳ６）。
【００５６】
次に、ＣＰＵ２９０は、表紙用紙Ｓ２の断裁量を算出する。表紙用紙Ｓ２の断裁量は、（表紙用紙の長さ−（本身用紙の長さ×２＋本身の厚み））により算出される（ステップＳ７）。ＣＰＵ２９０は、表紙断裁量算出部として機能する。この断裁量に基づいて、表紙断裁部２７５において表紙用紙Ｓ２が断裁されることになる。
【００５７】
このように、ステップＳ４での「表紙（本身最大長さ）」又は「表紙（本身最小長さ）」の選択に応じて、ステップＳ７で表紙断裁量を算出する際の「本身用紙の長さ」の値が変わることにより、断裁後の表紙用紙Ｓ２の長さを制御することができる。
【００５８】
本実施形態では、本身用紙Ｓ１の長さは、用紙長センサ２９４により計測するようにしたが、本身用紙Ｓ１を収容する給紙カセット１４１及び給紙カセット１４２に対応付けて本身用紙Ｓ１の長さを設定し、ＥＥＰＲＯＭ１６５に記憶させておくようにしてもよい。但し、画像形成装置１００と製本装置２００との間に折り装置を設け、折り用紙を本身用紙Ｓ１として用いる場合には、本身用紙Ｓ１の長さを用紙長センサ２９４により計測する方法を用いる。
【００５９】
なぜなら、本身用紙Ｓ１として折り用紙を含む場合、例えば、Ａ４用紙及びＡ３をＺ折りした用紙（Ｚ折り後はＡ４サイズ）を本身用紙Ｓ１に用いる場合に、ＥＥＰＲＯＭ１６５に記憶されている給紙カセットに対応付けられた本身用紙Ｓ１の長さを用いると、「表紙（本身最大長さ）」が選択されている場合には、最長本身用紙の長さとしてＡ３の長さが検出されることになるので、表紙用紙Ｓ２の表表紙及び裏表紙の長さはＡ３の長さになり、ユーザの意図しない冊子が作成されてしまうからである。
【００６０】
本実施形態では、「表紙（本身最大長さ）」又は「表紙（本身最小長さ）」の選択は画像形成装置１００の操作表示部１６６上で行ったが、パーソナルコンピュータから通信部１６８を介して画像データを入力する場合には、パーソナルコンピュータのプリンタドライバ画面上で当該選択を行う。
【図面の簡単な説明】
【００６１】
【図１】本実施形態に係る画像形成システムのシステム構成図である。
【図２】本実施形態に係る画像形成システムの制御構成図である。
【図３】本実施形態に係る制御の概要を示す模式図である。
【図４】本実施形態に係る表紙断裁量算出処理の制御フロー図である。
【符号の説明】
【００６２】
１００  画像形成装置
１４０  給紙部
１６５  ＥＥＰＲＯＭ
１６６  操作表示部
２００  製本装置
２４０  クランプ部
２４５  厚みセンサ
２５０  糊塗布部
２６０  角背形成部
２７５  表紙断裁部
２９０  ＣＰＵ
２９２  ＲＯＭ
２９４  用紙長センサ
Ｓ１  本身用紙
Ｓ２  表紙用紙
【図１】
2008037039.tif 000003
【図２】
2008037039.tif 000004
【図３】
2008037039.tif 000005
【図４】
2008037039.tif 000006